(57)【要約】【課題】この発明は、H.264符号化方式で符号化されたビデオデータを含む動画像コンテンツのトリック再生を可能とすることを目的としている。【解決手段】コマ飛ばし再生を行うとき複数のアクセスユニットを含む符号化ビデオデータからIDRアクセスユニットを抽出し、この抽出したIDRアクセスユニットの先頭に、IDRアクセスユニットの境界を示す境界情報であるアクセスユニットデリミタNALが存在しないか判定する。そして、アクセスユニットデリミタNALが存在しない場合には、IDRアクセスユニットの先頭に、アクセスユニットデリミタNALの情報を挿入し、このアクセスユニットデリミタNALを検出することでアクセスユニットの境界を特定し、IDRアクセスユニットからなる符号化ビデオデータをデコードする。【選択図】図２
2010081227.tif 000002
【特許請求の範囲】
【請求項１】
モードを指定する入力に応じて通常再生モード又はコマ飛ばし再生モードのいずれかを設定する動作モード切替部と、
前記動作モード切替部によって前記コマ飛ばし再生モードが設定されると、入力された符号化ビデオデータに含まれる複数のアクセスユニットからＩＤＲアクセスユニットを抽出する抽出部と、
前記抽出したＩＤＲアクセスユニットの先頭に、前記ＩＤＲアクセスユニットの境界を示す境界情報が存在するか判定する判定手段と、
前記判定手段によって前記境界情報がないことが検出された場合、前記ＩＤＲアクセスユニットの先頭に、前記境界情報を挿入する境界情報挿入部と、
前記コマ飛ばし再生モードが設定されているときは、前記ＩＤＲアクセスユニットに含まれるＩＤＲ識別子に基づいたエラー判定を行わないように制御する判定制御手段と
を備えることを特徴とする動画像復号装置。
【請求項２】
モードを指定する入力に応じて通常再生モード又はコマ飛ばし再生モードのいずれかを設定する動作モード切替部と、
前記動作モード切替部によって前記コマ飛ばし再生モードが設定されると、入力された符号化ビデオデータに含まれる複数のアクセスユニットからＩＤＲアクセスユニットを抽出する抽出部と、
前記抽出したＩＤＲアクセスユニットに含まれているＩＤＲ識別子の示す値が、連続した２つのＩＤＲアクセスユニットで同じ値を示すか否かを検出する検出手段と、
前記検出手段によって、前記連続した２つのＩＤＲアクセスユニットで同じ値を示すことが検出された場合は、一方のＩＤＲ識別子の値を別の値に変更する変更手段と、
を備えることを特徴とする動画像復号装置。
【発明の詳細な説明】
【技術分野】
【０００１】
この発明は、動画像復号装置、特にH.264ビデオ符号化ストリームのトリック再生技術（例えばコマ飛ばし再生）に関する。
【背景技術】
【０００２】
動画像のコンテンツを再生する際、トリック再生と呼ばれる再生方法があり、例えば、コマ飛ばし再生がそれである。例えば、動画像のコンテンツは、動画像を構成する複数のフレームが符号化された状態で記憶媒体に記憶されており、このような記憶媒体に記憶された動画像のコンテンツに基づいてコマ飛ばし再生を行う場合、ランダムアクセスポイントを抽出し、このランダムアクセスポイントのフレームを再生することによって行われる。
【０００３】
例えば、動画像がMPEG-4符号化方式に基づいて符号化されている場合、ランダムアクセスポイントは、動画像のコンテンツに含まれているCI(Configuration Information)とI-VOP（イントラ符号化されたフレーム）を特定することでコマ飛ばし再生をおこなうことができる。
【０００４】
例えば、特許文献１には、MPEG-4符号化方式によって符号化された動画像のコンテンツのトリック再生について触れており、早送り再生を行う際、動画像のコンテンツに含まれるＩフレームおよびＩフレームのフレームサイズを抽出し、指定された再生速度と復号処理能力に基づいてＩフレームを動的に間引きすることで早送り再生を行う技術が開示されている。
【０００５】
このように早送り再生する際、動画像を構成する複数のフレームからイントラ符号化されたフレームであるＩフレームを抽出することによって行われる。
【特許文献１】特開２００６−１３５８９６号公報
【発明の開示】
【発明が解決しようとする課題】
【０００６】
このように、MPEG-4符号化方式によって符号化された動画像のコンテンツの場合には、ランダムアクセスポイント単位のビデオフレームを連続してビデオデコード部に入力することで、コマ飛ばし再生のようなトリック再生を実現している。
【０００７】
一方、H.264符号化方式で符号化された動画像のコンテンツの場合も、同様に、ランダムアクセスポイントにてIDR(Instantaneous Decoding Refresh)ピクチャと呼ばれるNAL(Network Abstraction Layer) Unitを含んだアクセスユニットを抜き出してビデオデコード部に送ることで、コマ飛ばし再生を実現することができる。ここで、IDRピクチャとは、そのピクチャよりも前のピクチャの情報を一切使わなくても、それ以降のピクチャが正しく復号できることを意味する特別なピクチャである。
【０００８】
ところで、図５に示すとおり、H.264符号化方式に基づいて符号化された動画像のコンテンツでは、フレーム番号（frame_num）がIDRアクセスユニットで0になり、その後、フレームごとに１ずつ値がカウントアップされてゆき、次のIDRアクセスユニットで0に戻るという決まりがある。
【０００９】
各フレームは、符号化された少なくとも１つのマクロブロックから構成され、符号化の基本単位であるスライスのフレーム番号を比較してゆくことで、フレーム（アクセスユニット）の境界を検出することができる。即ち、フレーム番号の値が変わったところが新しいアクセスユニットの始まりであると認識できる。
【００１０】
しかしながら、上記のとおり、フレーム番号は、IDRアクセスユニットでゼロに戻るという決まりから、IDRアクセスユニットが連続した場合、フレーム番号が、連続するIDRアクセスユニットでゼロになり、フレーム番号ではアクセスユニットの境界を判別することができない。
【００１１】
一方、IDRピクチャに対する上記スライスのヘッダ（スライスヘッダ）にはIDR識別子(idr_pic_idc)というIDが記載されており、IDRアクセスユニットが連続した場合は、連続するIDRアクセスユニットでIDR識別子の値を変えなければならないという決まりがある。
【００１２】
そこで、フレーム番号とIDR識別子を確認することで、IDRアクセスユニットを動画像のコンテンツから抽出することができる。
【００１３】
例えば、図６（Ａ）に示されるようなH.264符号化方式で符号化された動画像のコンテンツを用いてコマ飛ばし再生を実現したとすると、上記の通りフレーム番号とIDR識別子に基づいてIDRアクセスユニットの抽出が行われ、図6（Ｂ）に示すように複数のIDRアクセスユニットを連続して処理することが可能となるため、これらのIDRアクセスユニットをデコードすることでコマ飛ばし再生を行うことができる。
【００１４】
しかしながら、図６の場合、元々が連続していないIDRアクセスユニットを連続させたことから、IDR識別子の値が共に０であったIDRアクセスユニットが連続することになってしまい、これは、IDRアクセスユニットが連続した場合は、IDR識別子の値を変えなければならないとの決まりに合わないことになり、エラーとなってしまう。
【００１５】
この発明は、上記の問題を解決するためになされたものであり、H.264符号化方式によって符号化された動画像のコンテンツのトリック再生を可能とすることを目的としている。
【課題を解決するための手段】
【００１６】
本発明の一態様による動画像復号装置は、モードを指定する入力に応じて通常再生モード又はコマ飛ばし再生モードのいずれかを設定する動作モード切替部と、前記動作モード切替部によってコマ飛ばし再生モードが設定されると、入力された符号化ビデオデータに含まれる複数のアクセスユニットからＩＤＲアクセスユニットを抽出する抽出部と、前記抽出したＩＤＲアクセスユニットの先頭に、前記ＩＤＲアクセスユニットの境界を示す境界情報が存在するか判定する判定手段と、前記判定手段によって前記境界情報がないことが検出された場合、前記ＩＤＲアクセスユニットの先頭に、前記境界情報を挿入する境界情報挿入部と、前記コマ飛ばし再生モードが設定されているときは、前記ＩＤＲアクセスユニットに含まれるＩＤＲ識別子に基づいたエラー判定を行わないように制御する判定制御手段とを備えることを特徴とする。
【００１７】
また本発明の一態様による動画像復号装置は、モードを指定する入力に応じて通常再生モード又はコマ飛ばし再生モードのいずれかを設定する動作モード切替部と、前記動作モード切替部によってコマ飛ばし再生モードが設定されると、入力された符号化ビデオデータに含まれる複数のアクセスユニットからＩＤＲアクセスユニットを抽出する抽出部と、前記抽出したＩＤＲアクセスユニットに含まれているＩＤＲ識別子の示す値が、連続した２つのＩＤＲアクセスユニットで同じ値を示すか否かを検出する検出手段と、前記検出手段によって、連続した２つのＩＤＲアクセスユニットで同じ値を示すことが検出された場合は、一方のＩＤＲ識別子の値を別の値に変更する変更手段と、を備えることを特徴とする。
【発明の効果】
【００１８】
本発明の動画像復号装置によれば、H.264ビデオ符号化ストリームのトリック再生を可能とし、低レートであっても高画質な画像での動画再生を可能とする。
【発明を実施するための最良の形態】
【００１９】
以下、本発明の実施の形態について図面を参照して説明する。
【００２０】
（１）第１の実施の形態
図１は、本発明の第１の実施の形態に係る動画像復号装置の一例である携帯電話機１０の概略構成を示すブロック図である。同図において、携帯電話機１０は、携帯電話１０の全体の動作を制御する制御部１、動画像コンテンツなどの各種データを記憶するための記憶部２、着信時の相手情報、携帯電話機１０の動作状況、動画像コンテンツを再生した際のビデオデータなどを表示するためのディスプレイ３、複数のキーからなる入力部４、携帯電話網の基地局と無線通信するための無線部５、前記基地局との間で送受信される信号の変換処理を行うための信号処理部６、通話を行う際に話者の音声を取り込むためのマイクロフォン７、及び通話時の相手の音声や動画像コンテンツを再生する際のオーディオデータを出力するためのスピーカ８から構成されている。
【００２１】
なお、このような携帯電話機１０で再生される動画像コンテンツは、Ｈ．２６４の符号化方式によって符号化された複数のフレームから構成されており、さらに、各フレームは少なくとも１つのマクロブロックを含むスライスによって構成され、各スライスは、イントラ予測符号化、インター予測符号化のいずれかに基づいて符号化される。携帯電話機１０で再生される動画像コンテンツのフレームの中には、特定のスライスを含むIDRピクチャと、非IDRピクチャが含まれている。IDRピクチャは、イントラ予測符号化に基づいて符号化されたＩスライスまたはＳＩスライス（スイッチングＩスライス）からなる。IDRピクチャはIDRアクセスユニットの中に含まれ、非IDRピクチャは非IDRアクセスユニットの中に含まれる。
【００２２】
図２は、制御部１によって行われる本実施の形態に係る動画像コンテンツの復号処理を説明するための図であり、制御部１の内部構成の一例を示している。図２の制御部１は、記憶部２に記憶されている動画像コンテンツを読み出し、この動画像コンテンツから符号化オーディオデータと符号化ビデオデータを分離し、符号化オーディオデータをオーディオデコード部５０へ、そして符号化ビデオデータをビデオデコード部４０へそれぞれ供給する分離部２０と、分離部２０から受け取った符号化ビデオデータを、再生モードに応じてビデオデコード部４０に供給するビデオデータ中継処理部３０と、符号化ビデオデータを復号してビデオデータを出力するビデオデコード部４０と、通常の再生かトリック再生かに応じて復号時の再生モードを切換える動作モード切替部６０と、ビデオデコード４０を制御するデコード制御部７０と、トリック再生時に境界情報を挿入する境界情報挿入部８０を備えている。
【００２３】
続いて、以上の構成からなる携帯電話機１０によって、動画像コンテンツがトリック再生されるときの処理について、図６（Ａ）及び（Ｂ）を参照して説明する。
【００２４】
まず、ユーザが入力部４のキーを操作し、記憶部２に記憶されている任意の動画像コンテンツの再生を指示すると、この指示を受けた制御部１は、指定された動画像コンテンツを記憶部２から読み出して再生処理を実行する。このとき、記憶部２から読み出された動画像コンテンツは分離部２０によって符号化オーディオデータと符号化ビデオデータに分離され、符号化オーディオデータはオーディオデコード部５０に、そして符号化ビデオデータはビデオデータ中継処理部３０にそれぞれ出力される。
【００２５】
なお、このときは入力部４から通常再生の指示が入力されているため、動作モード切替部６０は、ビデオデータ中継処理部３０、デコード制御部７０、及び境界情報挿入部８０に対して通常の再生処理を行う旨を指示する。
【００２６】
この通常再生が指示された場合は、境界情報挿入部８０は動作せず、また、ビデオデータ中継処理部３０は分離部２０で分離された符号化ビデオデータ、即ち、IDRアクセスユニットと非IDRアクセスユニットからなるデータをそのままビデオデコード部４０に中継処理する。一方、デコード制御部７０は、ビデオデコード部４０に対してビデオデータの再生タイミングを示すタイムスタンプの値に合わせて復号処理するように指示する。
【００２７】
この結果、ビデオデコード部４０は、符号化ビデオデータを復号して動画像を構成する動画像フレームを生成する。この動画像フレームは、ビデオデータとして、図示しない表示制御部を介してディスプレイ３に表示される。
【００２８】
一方、上記のようにして符号化ビデオデータが通常再生されているときに、入力部４のキーを操作することでコマ飛ばし再生が指示されると、この指示を受け取った動作モード切替部６０は、ビデオデータ中継処理部３０、デコード制御部７０、及び境界情報挿入部８０に対してコマ飛ばし再生処理を行うよう指示を出す。
【００２９】
ビデオデータ中継処理部３０がコマ飛ばし再生処理を行う旨の指示を受けると、分離部２０で分離された符号化ビデオデータに含まれるアクセスユニットから、フレーム番号frame_numがゼロのアクセスユニットを解析することで、IDRアクセスユニットの抽出を行う。そして、抽出したIDRアクセスユニットを境界情報挿入部８０へ渡す。
【００３０】
例えば、図６（Ａ）に示される先頭のIDRアクセスユニットの直前でコマ飛ばし再生の指示があったとすると、先頭のIDRアクセスユニットのフレーム番号frame_numはゼロであることから、このIDRアクセスユニットが境界情報挿入部８０に送られ、以後、フレーム番号frame_numが１〜５である非IDRアクセスユニットが破棄され、続くフレーム番号frame_numがゼロのIDRアクセスユニットが境界情報挿入部８０へ送られる。このようにして、図６（Ｂ）に示されるように、IDRアクセスユニットのみが境界情報挿入部８０へ送られる。
【００３１】
コマ飛ばし再生処理の指示を受けた境界情報挿入部８０は、ビデオデータ中継処理部３０からIDRアクセスユニットを受け取ると、このIDRアクセスユニットの先頭にアクセスユニットデリミタNALを挿入し、アクセスユニットデリミタNALが付加されたIDRアクセスユニットを生成してビデオデータ中継処理部３０へ戻す。
【００３２】
なお、ビデオデータ中継処理部３０は、上述のようにしてIDRアクセスユニットの抽出を行った際、各IDRアクセスユニットの先頭に、アクセスユニットの境界を示すアクセスユニットデリミタNALが存在するか否かをチェックする。そして、アクセスユニットデリミタNALが検出された場合は、既にアクセスユニットデリミタNALが存在しているため、このIDRアクセスユニットを境界情報挿入部８０へは送られない。
【００３３】
以上のようにして、全てのIDRアクセスユニットの先頭にアクセスユニットデリミタNALが挿入された状態となり、各IDRアクセスユニットはビデオデータ中継処理部３０からビデオデコード部４０へと送られる。
【００３４】
デコード制御部７０は、動作モード切替部６０からコマ飛ばし再生の指示を受けると、ビデオデコード部４０に対して、各IDRアクセスユニットに含まれるタイムスタンプを参照せず、IDRアクセスユニットを受信したタイミングでデコード処理を行うとともに、IDR識別子のチェック、即ち、IDRアクセスユニットが連続した場合にIDR識別子の値を変えなければならないとのルールに反していないかのシンタックスのエラー判定は行わないように指示する。
【００３５】
そして、ビデオデコード部４０は、デコード制御部７０からタイムスタンプを参照せず、かつIDR識別子のシンタックスのエラー判定を行わないでデコード処理を行う旨の指示を受けると、通常のデコード処理から、ビデオデータ中継処理部３０から受け取ったIDRアクセスユニットを受け取る毎にデコードする処理に切り替える。このとき、ビデオデータ中継処理部３０から受け取るIDRアクセスユニットには、アクセスユニットデリミタNALが存在していることから、ビデオデコード部４０では、アクセスユニットの境界を検出することが可能となるため、IDRアクセスユニットが連続して供給された場合でも、動画像コンテンツを再生することができる。
【００３６】
このようにしてIDRアクセスユニットをデコード処理することで得られた動画像フレームは、図示しない表示制御部を介してディスプレイ３に表示される。このとき、表示される動画像コンテンツは、IDRアクセスユニットをデコードして得られた画像フレームが次々と表示されるため、コマ飛ばし再生となっている。そして、このコマ飛ばし再生は、入力部４のキーが操作され、通常再生に戻すとの指示が入力されるまで継続する。
【００３７】
このように、図２のビデオデータ中継処理部３０は、動作モード切替部６０によってコマ飛ばし再生モードが設定されると、入力された符号化ビデオデータに含まれる複数のアクセスユニットからＩＤＲアクセスユニットを抽出する抽出部と、抽出したＩＤＲアクセスユニットの先頭に、ＩＤＲアクセスユニットの境界を示す境界情報が存在するか判定する判定手段と、判定手段によって境界情報がないことが検出された場合、ＩＤＲアクセスユニットの先頭に、境界情報を挿入する境界情報挿入部とを有する。また、ビデオデコード部４０は、コマ飛ばし再生モードが設定されているときは、ＩＤＲアクセスユニットに含まれるＩＤＲ識別子に基づいたエラー判定を行わないように制御する判定制御手段を有する。
【００３８】
（２）第２の実施の形態
次に、本発明の第２の実施形態について、図３及び図４を参照して説明する。
【００３９】
図３は本発明の第２の実施の形態に係る制御部１００の内部構成を示している。図３の制御部１００は、図２とビデオデータ中継処理部１１０と動作モード切替部１２０が異なっており、他の構成は同じである。このため、ここでは、ビデオデータ中継処理部１１０と動作モード切替部１２０の機能について説明し、他の構成についてはその説明を省略する。
【００４０】
まず、ビデオデータ中継処理部１１０は、図４に詳細構成を示すように、データ切替部１１１、IDRアクセスユニット抽出部１１２、NALヘッダ解析部１１３、スライスヘッダパース（構文解析）・置換部１１４、及びデータ供給部１１５からなる。
【００４１】
データ切替部１１１は、動画像コンテンツの再生モードが通常再生かトリック再生（コマ飛ばし再生）かによって分離部２０から受け取った符号化ビデオデータをデータ供給部１１５またはIDRアクセスユニット抽出部１１２に出力する。
【００４２】
IDRアクセスユニット抽出部１１２は、データ切替部１１１から受け取った符号化ビデオデータに含まれるアクセスユニットのフレーム番号frame_numをチェックすることで、IDRアクセスユニットの抽出を行う。つまり、上述の通り、フレーム番号frame_numがゼロのアクセスユニットの抽出を行う。
【００４３】
NALヘッダ解析部１１３は、IDRアクセスユニット抽出部１１２から受け取ったIDRアクセスユニットに含まれるスライスデータを含んだNALユニット（以下、スライスNALと呼ぶ。）を検索し、スライスNALの先頭位置情報（スタートポイント）と共にIDRアクセスユニットをスライスヘッダパース・置換部１１４へ出力する。
【００４４】
スライスヘッダパース・置換部１１４は、NALヘッダ解析部１１３から受け取ったIDRアクセスユニットとスライスNALの先頭位置情報からIDRアクセスユニット中のスライスNAL開始位置を特定でき、当該位置から開始されるスライスヘッダを解析して、IDR識別子の値を読み取る。そして、読み取ったIDR識別子の値が、一つ前のIDRアクセスユニットから抽出したIDR識別子と同じ値である場合は、その値を１だけインクリメントした値に置き換えた後、IDRアクセスユニットをデータ供給部１１５に出力する。
【００４５】
そして、データ供給部１１５は、データ切替部１１１またはスライスヘッダパース・置換部１１４から受け取ったアクセスユニットをビデオデコード部４０に出力する。
【００４６】
さて、以上のように構成された制御部１００によって動画像コンテンツが再生されるときの処理について説明する。
【００４７】
まず、ユーザが入力部４のキーを操作することで、記憶部２に記憶されている任意の動画像コンテンツの再生が指示されると、上記の例で示したように、通常再生の処理が行われる。このとき、動作モード切替部１２０からは、ビデオデータ中継処理部１１０とデコード制御部７０に対して通常再生で動作する旨を指示する信号が出力される。
【００４８】
この通常再生が開始されると、分離部２０で分離され、ビデオデータ中継処理部１１０に入力された符号化ビデオデータは、データ切替部１１１を介してデータ供給部１１５に渡される。そして、データ供給部１１５からビデオデコード部４０へと供給される。
【００４９】
一方、ビデオデコード部４０は、デコード制御部７０から通常再生の指示を受けるため、ビデオデータ中継処理部１１０から受け取るアクセスユニットそれぞれについて、タイムスタンプで定められた再生タイミングに併せて復号処理を行い、動画像を構成する複数の動画像フレームが得られる。この結果、ビデオデコード部４０から出力された動画像フレームは、ビデオデータとして表示制御部を介してディスプレイ３に表示される。
【００５０】
一方、上記のようにして符号化ビデオデータが通常再生されているときに、入力部４のキーを操作することでコマ飛ばし再生が指示されたとすると、この指示を受け取った動作モード切替部１２０は、ビデオデータ中継処理部１１０、デコード制御部７０に対してコマ飛ばし再生処理を行うよう指示を出す。
【００５１】
ビデオデータ中継処理部１１０がコマ飛ばし再生処理を行う旨の指示を受けると、分離部２０から受信した符号化ビデオデータは、データ切替部１１１を介してIDRアクセスユニット抽出部１１２に入力される。
【００５２】
IDRアクセスユニット抽出部１１２は、データ切替部１１１から受け取るアクセスユニットのフレーム番号frame_numを解析することで、フレーム番号frame_numがゼロのIDRアクセスユニットを抽出してNALヘッダ解析部１１３に出力する。
【００５３】
そして、NALヘッダ解析部１１３は、受け取ったIDRアクセスユニットを解析し、このIDRアクセスユニットに含まれるスライスデータを含んだNALユニットを特定し、このスライスデータのスライスヘッダに対してスタートポイント（先頭位置情報）を添えてスライスヘッダパース・置換部１１４に出力する。
【００５４】
スライスヘッダパース・置換部１１４は、NALヘッダ解析部１１３からIDRアクセスユニットを受け取ると、NALヘッダ解析部１１３によってスライスヘッダに添えられたスタートポイントを検出することで、特定のスライスデータのスライスヘッダを解析し、IDR識別子を抽出する。そして、この抽出したIDR識別子が、直前に解析した特定のスライスデータのスライスヘッダから抽出したIDR識別子と同じ値であるか比較し、この結果、不一致であればそのままの値で、また一致していれば今回抽出したIDR識別子の値を１だけインクリメントした値に変更したIDRアクセスユニットを生成して、このIDRアクセスユニットをデータ供給部１１５へ渡す。
【００５５】
例えば、図６（Ｂ）に示されるように、IDR識別子idr_pic_idcが同じ値を示す３つのIDRアクセスユニットがIDRアクセスユニット抽出部１１２で抽出されたとすると、最初のIDRアクセスユニットから抽出したIDR識別子idr_pic_idcと２つ目のIDRアクセスユニットから抽出したIDR識別子がともにゼロであることから、スライスヘッダパース・置換部１１４は、２つ目のIDRアクセスユニットから抽出したIDR識別子idr_pic_idcの値を１に変更する（図６（Ｃ））。続いて、３つ目のIDRアクセスユニットから抽出されるIDR識別子idr_pic_idcはゼロを示しているが、１つ前、つまり２つ目のIDRアクセスユニットから抽出されたIDR識別子idr_pic_idcの値は１に変更されていることから、２つのIDR識別子を比較した結果は不一致となるため、この３つ目のIDRアクセスユニットから抽出されたIDR識別子idr_pic_idcの値は変更されないことになる。
【００５６】
この結果、図６（Ｃ）の例では、各IDRアクセスユニットのIDR識別子idr_pic_idcの値は“０”、“１”、“０”となる。
【００５７】
このようにしてIDR識別子の値が同じであるIDRアクセスユニットが連続して並ばないように変更されてデータ供給部１１５からビデオデコード部４０に供給されることになる。
【００５８】
そして、ビデオデコード部４０は、デコード制御部７０からコマ飛ばし再生処理の指示を受け、各IDRアクセスユニットに含まれるタイムスタンプを参照することなく、復号処理を行い、得られた動画像フレームの出力を行う。そして、第１の実施の形態とは異なり、同じ値が連続したIDRアクセスユニットがビデオデコード部４０に供給されることがないため、ビデオデコード部４０では、シンタックスのエラー判定を変更することなく、通常通りの判定を行えばよいことになる。
【００５９】
このように、図３のビデオデータ中継処理部１１０は、動作モード切替部１２０によってコマ飛ばし再生モードが設定されると、入力された符号化ビデオデータに含まれる複数のアクセスユニットからＩＤＲアクセスユニットを抽出する抽出部と、抽出したＩＤＲアクセスユニットに含まれているＩＤＲ識別子の示す値が、連続した２つのＩＤＲアクセスユニットで同じ値を示すか否かを検出する検出手段と、検出手段によって、連続した２つのＩＤＲアクセスユニットで同じ値を示すことが検出された場合は、一方のＩＤＲ識別子の値を別の値に変更する変更手段とを有する。
【００６０】
なお、上記説明では、IDRアクセスユニット抽出部１１２によって抽出された各IDRアクセスユニットに含まれるIDR識別子idr_pic_idcがシンタックスのエラー判定でエラー判定されないように変更することとしているが、これに代えて、第１の実施の形態で行ったと同様に、ビデオデータ中継処理部１１０内に境界情報挿入部を設けることで、コマ飛ばし再生を行わせることも出来る。この場合、図４のNALヘッダ解析部１１３とスライスヘッダパース・置換部１１４に代えて境界情報挿入部が用いられ、この境界情報挿入部によってアクセスユニットデリミタNALが挿入されたIDRアクセスユニットがデータ供給部１１５へと渡される。
【図面の簡単な説明】
【００６１】
【図１】本発明に係る動画像復号処理を行う装置の一例である携帯電話機の概略構成を示すブロック図である。
【図２】本発明の第１の実施の形態に係る動画像の復号処理を行う制御部の構成を示すブロック図である。
【図３】本発明の第２の実施の形態に係る動画像の復号処理を行う制御部の構成を示すブロック図である。
【図４】第２の実施の形態で説明する制御部の中のビデオデータ中継処理部の詳細構成を示すブロック図である。
【図５】符号化ビデオデータにおけるフレーム番号及びIDR識別子の一例を示す説明図である。
【図６】符号化ビデオデータに対してコマ飛ばし再生を行う場合の様子を示す説明図である。
【符号の説明】
【００６２】
１、１００  制御部
２  記憶部
３  ディスプレイ
４  入力部
５  無線部
６  信号処理部
７  マイクロフォン
８  スピーカ
１０  携帯電話機
２０  分離部
３０、１１０  ビデオデータ中継処理部
４０  ビデオデコード部
６０、１２０  動作モード切替部
７０  デコード制御部
８０  境界情報挿入部
１１１  データ切替部
１１２  ＩＤＲアクセスユニット抽出部
１１３  ＮＡＬヘッダ解析部
１１４  スライスヘッダパース・置換部
１１５  データ供給部
【図１】
2010081227.tif 000003
【図２】
2010081227.tif 000004
【図３】
2010081227.tif 000005
【図４】
2010081227.tif 000006
【図５】
2010081227.tif 000007
【図６】
2010081227.tif 000008